(57)【要約】【課題】本発明は光ディスクのジッタを計測するジッタ計測器に関し、特に異なるジッタの計測規格を有する場合でも、同じＰＬＬ回路を使用して容易にジッタの計測を行うことができるジッタ計測器のＰＬＬ回路を提供するものである。【解決手段】位相比較器１１に供給されるＥＦＭ信号に基づいてクロック信号を生成するＰＬＬ回路であり、ループフィルタ１３に可変容量ダイオードＶＣ１、ＶＣ２を使用することによって、開ループ伝達関数を変更可能に構成し、ジッタ規格の異なる光ディスクのジッタ計測において上記可変容量ダイオードＶＣ１、ＶＣ２の容量を可変して使用することができる。このように構成することにより、ＰＬＬ回路を変更することなく、同じＰＬＬ回路を広範囲な光ディスクのジッタ測定器に使用することができる。【選択図】      図１
2004294161.tif 000002
【特許請求の範囲】
【請求項１】
光ディスクから読み出されたＥＦＭ信号に基づいて再生用クロック信号を生成するジッタ計測器のＰＬＬ回路において、
前記光ディスクの種別又は読み出し速度に基づいて容量が可変可能な第１の可変容量手段と、該第１の可変容量手段に並列に接続された抵抗手段より成るループフィルタとを有することを特徴とするジッタ計測器のＰＬＬ回路。
【請求項２】
前記抵抗手段には、前記光ディスクの種別又は読み出し速度に基づいて容量が可変可能な第２の可変容量手段が直列に接続されていることを特徴とする請求項１記載のジッタ計測器のＰＬＬ回路。
【請求項３】
前記第１及び第２の可変容量手段は、可変容量ダイオードであることを特徴とする請求項１、又は２記載のジッタ計測器のＰＬＬ回路。
【請求項４】
光ディスクから読み出されたＥＦＭ信号に基づいて再生用クロック信号を生成するジッタ計測器のＰＬＬ回路において、
前記光ディスクの種別又は読み出し速度に基づいて抵抗値が可変可能な可変抵抗手段と、該可変抵抗手段に並列に接続された容量手段より成るループフィルタとを有することを特徴とするジッタ計測器のＰＬＬ回路。
【請求項５】
前記容量手段は、可変容量手段であることを特徴とする請求項４記載のジッタ計測器のＰＬＬ回路。
【請求項６】
前記可変抵抗手段には、前記光ディスクの種別又は読み出し速度に基づいて容量が可変可能な可変容量手段が直列に接続されていることを特徴とする請求項４、又は５記載のジッタ計測器のＰＬＬ回路。
【請求項７】
被測定装置である前記光ディスクの種別及び読み出し速度は判別手段によって判別され、自動的に該判別結果が前記ＰＬＬ回路に供給されることを特徴とする請求項１、２、３、４、５、又は６記載のジッタ計測器のＰＬＬ回路。
【発明の詳細な説明】
【０００１】
【発明の属する技術分野】
本発明は、光ディスクのジッタを計測するジッタ計測器に関し、特にジッタ計測器に使用するＰＬＬ回路に関する。
【０００２】
【従来の技術】
今日、写真画像や動画像、音楽等の各種メディアをパーソナルコンピュータによって処理することが広く行われ、大容量記録媒体のニーズが高まっている。特に、ＣＤ（コンパクトディスク）、ＤＶＤ（Ｄｉｇｉｔａｌ  Ｖｅｒｓａｔｉｌｅ  Ｄｉｓｃ）等の記録媒体は記録面に形成したピット情報にレーザ光を照射して大量の情報を読み出すことができ、再生専用型、追記型、書き換え可能型の各種形式の装置が開発されている。このような構成の光ディスクにはミクロンオーダの微少なピットが記録面に高密度に記録されている。
【０００３】
しかし、光ディスクは円盤形であり、微少な反りや偏心がある。また、光ピックアップとディスク回転面との傾き（チルト）も発生する。この為、光ピックアップによって読み出したデータにはジッタが含まれ、再生装置に対するチルト調整等の為ジッタの計測が必要である。
【０００４】
そこで、上記ジッタを計測する計測器が使用され、当該計測器にはＰＬＬ回路が配設されている。図２は従来の計測器に配設されたＰＬＬ回路を説明する図である。位相比較器（ＰＤ）１は基準信号と帰還信号の位相差を検出し、検出した位相差をチャージポンプ２に出力する。チャージポンプ２はループフィルタ３を有し、位相差に対応した制御信号を電圧制御発振器（ＶＣＯ）４に出力する。ループフィルタ３は、同図に示すように、コンデンサＣ１、Ｃ２、抵抗Ｒ２で構成され、これらの素子値によって設定された定数に基づいて位相余裕度、及び帯域幅を決定し、電圧制御発振器（ＶＣＯ）４に制御信号（ＤＣ）を出力する。
【０００５】
電圧制御発振器（ＶＣＯ）４は制御信号に比例して発振周波数を可変し、分周器（デバイダ）５を介して帰還信号を位相比較器（ＰＤ）１に出力する。
【０００６】
図３は上記ＰＬＬ回路の特性を説明するブロック図である。同図において、ＫΦは位相誤差とチャージポンプ２の出力電流との比例定数（Ａ／ｒａｄ）であり、Ｚ（ｓ）はループフィルタ３の伝達関数であり、Ｋｖｏｃは電圧制御発振器（ＶＣＯ）４の電圧／周波数比例定数（Ｈｚ／Ｖｏｌｔ）であり、Ｎ（１／Ｎ）はデバイダの分周比である。そして、従来のＰＬＬ回路の開ループ伝達関数は、以下の式によって与えられる。
【０００７】
開ループ伝達関数＝ＫΦ・Ｚ（ｓ）・Ｋｖｏｃ／Ｎ  ・・・式１
また、ループフィルタの極とゼロは、
Ｔ１＝Ｒ２・（Ｃ１・Ｃ２／（Ｃ１＋Ｃ２））・・・・  式２
Ｔ２＝Ｒ２・Ｃ２      ・・・・・・・・・・・・・・  式３
ループ帯域ωｐは、
ωｐ＝１／√（Ｔ１＋Ｔ２）  ・・・・・・・・・・  式４
である。
【０００８】
一方、上記ＰＬＬ回路を含むジッタ計測器内にはジッタの計測を正確に行う為、特許文献１の発明も開示されている。この発明は、光ピックアップによって読み出された信号に対して特定の周波数をブーストし、ブースト量を連続的に調整することによってジッタの計測を確実に行うものである。
【０００９】
【特許文献１】
特開２００１−２１８２３６号公報
【００１０】
【発明が解決しようとする課題】
上記ＣＤやＤＶＤには、前述のように再生専用型、追記型、書き換え可能型の各種が開発され、記録媒体によって規格があり、上記ＰＬＬ回路の伝達関数（Ｚ（ｓ））も光ディスクの種別や読み出し速度によって測定規格が設定されている。この為、異なる規格の光ディスクの測定を行う際には、それぞれ専用のジッタ測定器が必要になる。すなわち、上記測定を行う為には、対応する伝達関数を備えるループフィルタに変更しなければならず、回路基板の交換等の煩雑な作業が必要になる。
【００１１】
そこで、本発明は異なるジッタの計測規格を有する場合でも、同じＰＬＬ回路を使用して容易にジッタの計測を行うことができるジッタ計測器のＰＬＬ回路を提供するものである。
【００１２】
【課題を解決するための手段】
上記課題は、請求項１記載の発明によれば、光ディスクから読み出されたＥＦＭ信号に基づいて再生用クロック信号を生成するジッタ計測器のＰＬＬ回路において、前記光ディスクの種別又は読み出し速度に基づいて容量が可変可能な第１の可変容量手段と、該第１の可変容量手段に並列に接続された抵抗手段より成るループフィルタとを有するジッタ計測器のＰＬＬ回路を提供することによって達成できる。
【００１３】
ここで、上記光ディスクは、例えばＣＤやＤＶＤであり、光ディスクの記録面にはピット形式で情報が記録され、光ピックアップはレーザ光を照射して上記記録情報を読み取り、イコライザ回路、２値化回路を介して二値化信号をＰＬＬ回路に供給する。
【００１４】
また、ＰＬＬ回路は位相比較器、チャージポンプ、ループフィルタ、電圧制御発振器（ＶＣＯ）、分周器で構成され、本発明はループフィルタのループ伝達関数を可変容量手段によって可変可能に構成することで、例えば光ディスクの機種又は読み出し速度（線速度）に基づいて適切な容量値を設定し、計測対象である光ディスクの種別や線速度が変わっても同じＰＬＬ回路を用いて測定を行うことができる構成である。
【００１５】
請求項２の記載は、上記請求項１記載の発明において、前記抵抗手段には、前記光ディスクの種別又は読み出し速度に基づいて容量が可変可能な第２の可変容量手段が直列に接続されている構成である。
【００１６】
このように構成することにより、第１、第２の可変容量手段の容量を可変し、より広範にループ伝達関数の調整を可能とし、より広いＰＬＬ回路のループ特性の設定を可能とする。
【００１７】
請求項３の記載は、上記請求項１、又は２の記載において、前記第１及び第２の可変容量手段は、可変容量ダイオードである。
【００１８】
このように構成することにより、例えば可変容量ダイオードに予め設定された電圧を供給し、容量を可変して測定対象装置である光ディスクの種別や読み出し速度に対応したループ伝達関数を設定することができる。
【００１９】
上記課題は、請求項４記載の発明によれば、光ディスクから読み出されたＥＦＭ信号に基づいて再生用クロック信号を生成するジッタ計測器のＰＬＬ回路において、前記光ディスクの種別又は読み出し速度に基づいて抵抗値が可変可能な可変抵抗手段と、該可変抵抗手段に並列に接続された容量手段より成るループフィルタとを有するジッタ計測器のＰＬＬ回路を提供することによって達成できる。
【００２０】
本発明は、容量手段に並列に接続された抵抗手段の抵抗値を光ディスクの種別又は読み出し速度に基づいて可変可能とし、測定対象のジッタ測定規格が変わった場合でも、同じＰＬＬ回路を用いてジッタの測定を行うことができる構成である。
【００２１】
また、請求項５の記載は前記容量手段が可変容量手段であること、請求項６の記載は前記可変抵抗手段には前記光ディスクの種別又は読み出し速度に基づいて容量が可変可能な可変容量手段が直列に接続されることを構成上の特徴とする。
【００２２】
このように構成することによっても、回路基板等を変更することなく同じＰＬＬ回路を使用して異なる種別、又は異なる倍速数の光ディスクのジッタを計測することができる。
【００２３】
請求項７の記載は、請求項１、２、３、４、５、又は６の記載において、被測定装置である前記光ディスクの種別及び読み出し速度は判別手段によって判別され、自動的に該判別結果が前記ＰＬＬ回路に供給される構成である。
【００２４】
このように構成することにより、本例のジッタ計測器のＰＬＬ回路は、判別手段によって自動的に測定対象装置を判別し、対象物のジッタ測定規格に対応したループ伝達関数を自動的に設定することができる。
【００２５】
【発明の実施の形態】
以下、本発明のジッタ計測器のＰＬＬ回路について、図面を参照しながら実施形態を詳述する。
【００２６】
図１は本実施形態のジッタ計測器のＰＬＬ回路の回路図である。尚、同図に示すＰＬＬ回路に供給される信号は、例えばＤＶＤの記録面に記録されたピット情報をレーザピックアップによって読み出し、イコライザ回路によって特定周波数をブーストした信号であり、２値化処理によって不要な高周波がカットされたＥＦＭ信号である。
【００２７】
同図において、位相比較器（ＰＤ）１１、チャージポンプ１２、電圧制御発振器（ＶＣＯ）１４、分周器（デバイダ）１５の構成は前述の図２と同じであるが、本発明はループフィルタ１３の構成が異なる。すなわち、ループフィルタ１３は従来例と異なり、コンデンサＣ１、Ｃ２、抵抗Ｒ２に加えて、可変容量ダイオードＶＣ１、ＶＣ２を備える。具体的には、ループフィルタ１３はコンデンサＣ１と可変容量ダイオードＶＣ１の直列回路と、抵抗Ｒ２とコンデンサＣ２と可変容量ダイオードＶＣ２の直列回路を並列に接続して構成され、可変容量ダイオードＶＣ１には直流電源Ｅ１から電圧供給が行われ、可変容量ダイオードＶＣ２には直流電源Ｅ２から電圧供給が行われる。
【００２８】
尚、上記直流電源Ｅ１及びＥ２として、例えば測定器外部のコンピュータから可変電圧を供給できる構成とする。この場合、可変容量ダイオードＶＣ１及びＶＣ２に供給する電圧はオペレータが設定でき、可変容量ダイオードＶＣ１又はＶＣ２の結合容量を可変できる。一方、不図示のメディア判別部によってメディアの種別や倍速数を判別し、上記直流電源Ｅ１及びＥ２の電圧値を可変する構成としてもよい。
【００２９】
したがって、本例のＰＬＬ回路で使用するループフィルタ１３の開ループ伝達関数は上記直流電源Ｅ１、及びＥ２の出力電圧を変化させることによって可変可能であり、測定する光ディスクの種別及び読み出し速度によって所望の伝達関数を設定することができる。また、上記可変容量ダイオードＶＣ１及びＶＣ２への供給電圧値と被測定装置（光ディスク装置）との対応関係は、予め不図示のテーブルに設定する構成としてもよい。
【００３０】
このように構成することによって、規格の異なる記録媒体毎に開ループ伝達関数を変更し、対応する開ループ伝達関数のループフィルタ１３を使用してジッタの計測を行うことができる。以下、本例におけるループフィルタ１３の開ループ伝達関数の計算例を示す。
【００３１】
先ず、直列に接続されたコンデンサＣ１と可変容量ダイオードＶＣ１の合成容量Ｃ１’を計算すると、
合成容量Ｃ１’＝Ｃ１・ＶＣ１／（Ｃ１＋ＶＣ１）・・・  式５
であり、
同様にして、直列に接続されたコンデンサＣ２と可変容量ダイオードＶＣ２の合成容量Ｃ２’は、
合成容量Ｃ２’＝Ｃ２・ＶＣ２／（Ｃ２＋ＶＣ２）・・・  式６
である。
【００３２】
次に、上記合成容量Ｃ１’を前述の式２〜式４に代入し、
Ｔ１＝Ｒ２・（Ｃ１’・Ｃ２’／（Ｃ１’＋Ｃ２’））  ・・・  式７
Ｔ２＝Ｒ２・Ｃ２’    ・・・・・・・・・・・・・・・・・  式８
ループ帯域ωｐ’は、
ωｐ’＝１／√（Ｔ１’＋Ｔ２’）    ・・・・・・・・・・・  式９
となる。
【００３３】
したがって、ループフィルタ伝達関数は、
2004294161.tif 000003
【００３４】
また、開ループ伝達関数は、
開ループ伝達関数＝ＫΦ・Ｚ’（ｓ）・Ｋｖｏｃ／Ｎ  ・・・・  式１１
となる。
【００３５】
したがって、本発明は上記Ｚ’（ｓ）が可変可能であり、開ループ伝達関数を光ディスクの種別や読み出し速度に従ってジッタの測定規格に合う値に設定することができる。
【００３６】
尚、上記実施形態では、コンデンサＣ１と可変容量ダイオードＶＣ１の直列回路と、抵抗Ｒ２とコンデンサＣ２と可変容量ダイオードＶＣ２の直列回路を並列接続した構成としたが、必ずしも上記構成に限るものではない。例えば、可変容量ダイオードＶＣ１を削除した構成としても良く、又可変容量ダイオードＶＣ２を削除した構成としてもよい。さらに、可変容量ダイオードＶＣ１及びＶＣ２を共に削除し、抵抗Ｒ２を可変抵抗素子で構成してもよい。この場合にも、可変容量ダイオードＶＣ１及びＶＣ２の配設構成は、一方のみを使用してもよく、又は両方の可変容量ダイオードを使用する構成としてもよい。
【００３７】
【発明の効果】
以上説明したように、本発明によれば同じＰＬＬ回路によってジッタ計測の際の規格の異なる光ディスクに対応でき、回路基板の変更等を行うことなく同じＰＬＬ回路を使用してジッタの測定を行うことができる。
【００３８】
また、上記広範囲のループ特性の設定が可能なＰＬＬ回路を搭載したジッタ計測器を使用することによって、被測定物の機種変更があった場合でも迅速に対応することができ、効率よい光ディスクのジッタの測定を行うことができる。
【図面の簡単な説明】
【図１】本実施形態のジッタ計測器のＰＬＬ回路の回路図である。
【図２】従来のジッタ計測器のＰＬＬ回路を説明する回路図である。
【図３】ＰＬＬ回路の特性を説明するブロック図である。
【符号の説明】
１１  位相比較器（ＰＤ）
１２  チャージポンプ
１３  ループフィルタ
１４  電圧制御発振器（ＶＣＯ）
１５  分周器（デバイダ）
【図１】
2004294161.tif 000004
【図２】
2004294161.tif 000005
【図３】
2004294161.tif 000006